(57)【要約】【課題】配合物ケーキを収容する新規の皿状容器、皿状容器を含む新規の化粧用品ならびに皿状容器および化粧用品を製造する新規な方法を提供する。【解決手段】本発明は配合物ケーキ(F)を収容する皿状容器(P)に関する。容器(P)は、基底部(10)と、そこから直立する環状壁(20)と、環状壁(20)に取り巻かれ基底部(10)に対向する開口部(30)とを含む。基底部(10)と環状壁(20)とはケーキ(F)を収容する所定深さ(D)を有する空間(V)を協働で形成する。容器(P)はケーキ(F)と噛み合うことによりケーキ(F)を留める少なくとも1つのラッチ特徴部をさらに含む。基底部(10)とラッチ特徴部とが深さ(D)方向に互いに重なる、基底部(10)の領域(S)内に、領域(S)の寸法および形状に対応する寸法および形状を有する開口部(200)が設けられる。本発明はまた、上記皿状容器を備えた化粧用品(A)に関する。本発明はさらに、そのような皿状容器および化粧用品を製造する方法に関する。【選択図】図1A
2018089207.tif 000002
【特許請求の範囲】
【請求項１】
配合物ケーキ(F)を収容する皿状容器(P)であって、
基底部(10)と、
前記基底部(10)から直立している環状壁(20)と、
前記環状壁(20)により取り巻かれており前記基底部(10)に対向している開口部(30)と
を含み、
前記基底部(10)と前記環状壁(20)とは、前記配合物ケーキ(F)を収容するための所定の深さ(D)を有する空間(V)を協働して形成しており、
前記皿状容器(P)は、前記配合物ケーキ(F)と噛み合うことにより前記配合物ケーキ(F)を留める少なくとも1つのラッチ特徴部をさらに含み、
前記基底部(10)と前記ラッチ特徴部とが前記深さ(D)方向に互いに重なる、前記基底部(10)の領域(S)内に、前記領域(S)の寸法および形状に対応する寸法および形状を有する開口部(200)が設けられている、
皿状容器(P)。
【請求項２】
前記ラッチ特徴部として、前記環状壁(20)の内面(20a)から前記皿状容器(P)の中心に向かって突出している少なくとも1つの突起部(100)を含む、請求項1に記載の皿状容器(P)。
【請求項３】
前記突起部(100)は前記環状壁(20)の高さの略中間の位置に設けられている、請求項2に記載の皿状容器(P)。
【請求項４】
前記突起部(100)は前記環状壁(20)の上端位置に設けられている、請求項2に記載の皿状容器(P)。
【請求項５】
前記基底部(10)から前記開口部(30)に向かって、前記基底部(10)に対して実質的に垂直に延在している少なくとも1つの支柱(110)と、
前記基底部(10)に略平行に前記支柱(110)から延在している突起部(120)と
を含み、
前記突起部(120)は前記ラッチ特徴部としての機能を果たす、請求項1に記載の皿状容器(P)。
【請求項６】
前記支柱(110)は、前記環状壁(20)の内面(20a)に隣接して設けられており、前記突起部(120)は、前記環状壁(20)の前記内面(20a)に沿って、実質的に周縁部の全周に設けられている、請求項5に記載の皿状容器(P)。
【請求項７】
前記ラッチ特徴部として、前記基底部(10)から前記開口部(30)に向かって延在している少なくとも1つの突出部(130)を含み、前記突出部(130)は、前記皿状容器(P)の中心に向かってまたは前記皿状容器(P)の前記中心の反対方向に向かって傾斜しているかまたは湾曲している、請求項1に記載の皿状容器(P)。
【請求項８】
前記ラッチ特徴部として、前記皿状容器(P)の中心に向かって傾斜しているかまたは湾曲している、前記環状壁(20)の周囲方向部分(140，140')を含む、請求項1に記載の皿状容器(P)。
【請求項９】
配合物ケーキ(F)を収容する皿状容器(P)であって、
基底部(10)と、
前記基底部(10)から直立している環状壁(20)と、
前記環状壁(20)により取り巻かれており前記基底部(10)に対向している開口部(30)と
を含み、
前記基底部(10)と前記環状壁(20)とは、前記配合物ケーキ(F)を収容するための所定の深さ(D)を有する空間(V)を協働して形成しており、
前記皿状容器(P)は、前記配合物ケーキ(F)と噛み合うことにより前記配合物ケーキ(F)を留めるラッチ特徴部(120'，120")をさらに含み、前記ラッチ特徴部(120'，120")は前記環状壁(20)の内面(20a)から突出しており周縁部の全周にまたは前記内面(20a)に沿って断続的に設けられており、
貫通孔(200'，200")が前記基底部(10)内に設けられている、
皿状容器(P)。
【請求項１０】
請求項1から8のいずれか一項に記載の皿状容器(P)と、
前記皿状容器(P)の内部に収容されている配合物ケーキ(F)と
を含み、
前記配合物ケーキ(F)は、前記皿状容器(P)に設けられている前記ラッチ特徴部と噛み合うことにより、前記皿状容器(P)の内部に留められている、
化粧用品(A)。
【請求項１１】
請求項1から8のいずれか一項に記載の皿状容器(P)を製造する方法であって、
上型(300)および下型(400)を提供するステップであって、組み合わせられると、前記上型(300)と前記下型(400)とは、前記皿状容器(P)の原料(M)が中に注入される空洞部(C)を協働して形成し、前記下型(400)は、底面(400a)から直立している1つまたは複数の突出部(410)を含み、前記突出部(410)は、前記皿状容器の深さ(D)方向から見た場合、前記皿状容器(P)に設けられる前記ラッチ特徴部の形状に対応する横断面形状を有するステップと、
前記上型(300)と前記下型(400)とを組み合わせるステップと、
前記上型(300)と前記下型(400)との間に形成されている前記空洞部(C)内へ前記皿状容器(P)の前記原料(M)を注入するステップと、
前記注入された原料(M)が凝固して、得られた皿状容器(P)を除去した後、前記上型(300)と前記下型(400)とを分離するステップと
を含む、方法。
【請求項１２】
請求項10に記載の化粧用品(A)を製造する方法であって、
前記皿状容器(P)の前記開口部(30)を塞ぐステップと、
前記皿状容器(P)の前記基底部(10)に設けられている前記開口部(200)を介して前記皿状容器(P)の前記空間(V)内へ配合物(F')を充填するステップと、
前記充填された配合物を凝固させて、前記配合物ケーキ(F)を形成するステップと
を含む、方法。
【請求項１３】
前記配合物は前記開口部(200)内にも充填される、請求項12に記載の方法。
【請求項１４】
請求項10に記載の化粧用品(A)を製造する方法であって、
前記皿状容器(P)の前記基底部(10)に設けられている前記開口部(200)を塞ぐステップと、
前記皿状容器(P)の前記開口部(30)を介して前記皿状容器(P)の前記空間(V)内へ配合物(F')を充填するステップと、
前記充填された配合物を凝固させて、前記配合物ケーキ(F)を形成するステップと
を含む、方法。
【請求項１５】
前記基底部(10)は、前記皿状容器(P)の前記空間(V)に対向している内面と、前記内面の反対側の外面とを有し、前記開口部(200)は前記外面と同じ高さで塞がれる、請求項14に記載の方法。
【発明の詳細な説明】
【技術分野】
【０００１】
本発明は、配合物ケーキ(formula cake)、特に化粧配合物ケーキを収容する皿状容器(pan)に関する。また、本発明は、そのような皿状容器を含む化粧用品(cosmetic article)に関する。本発明はさらに、そのような皿状容器および化粧用品を製造するための方法に関する。
【背景技術】
【０００２】
ファンデーション、アイシャドー、および頬紅など、元は粉末状態にある化粧配合物は一般に、化粧配合物が「ケーキ」と呼ばれる固体物質に成形されかつ皿状容器内に収容された状態にある化粧用品として取り扱われてきた。例えば、特許文献1は、ケーキ原料、すなわち高温注入化粧配合物を充填するための穴部が底面に設けられている皿状容器を使用して、化粧用品を製造する方法を開示している。本製造方法によれば、化粧配合物を充填するノズルが、ノズルの使用中に化粧配合物を充填するための穴部と連通するように配置されている。
【０００３】
例えば、ケーキを含む化粧道具が床の上に落ちた場合、皿状容器内に収容されているケーキが皿状容器から偶発的に外れる可能性がある。このことは、製品の価値の損失につながる可能性がある。特許文献1において開示されている製造方法により得られる化粧用品は、ケーキが皿状容器から外れる問題を回避することができない。
【０００４】
従来、この問題に対処するための様々な手段が提案されてきた。例えば、ケーキが外れないようにするために、皿状容器の基底部に接着剤が塗布されてもよい。しかしながら、この場合、接着剤と接触しているケーキの下端部は固くなり、結果としてケーキは最後まで完全に使い尽くされることが不可能である。
【０００５】
また、ケーキと接触している、皿状容器の底面を粗くすることまたはそれにエンボス加工をすることが提案されている。例えば、特許文献2は、ケーキを皿状容器の内部に保持するために、皿状容器の底面にエンボス加工をすることを提案している。特許文献3は、ケーキを皿状容器の内部にフックで留めるために、皿状容器の基底部側の角部にレリーフを形成することを提案している。特許文献4は、皿状容器の底面上に、互いに平行な複数の線形畝部、または円形畝部およびこの円形畝部に接続されている複数の線形畝部を形成することを提案している。しかしながら、先行技術のこれら解決方法の提案は、単に、皿状容器とケーキとの間の摩擦および接触を増大させる傾向があり、ケーキが皿状容器から外れる問題を解決することができない。
【先行技術文献】
【特許文献】
【０００６】
【特許文献１】国際公開第2014/005265号パンフレット
【特許文献２】実開平01-175709号公報
【特許文献３】特開2003-52445号公報
【特許文献４】特開2014-73259号公報
【発明の概要】
【発明が解決しようとする課題】
【０００７】
本発明の目的は、先行技術の欠点を緩和するかまたは無くすために、配合物ケーキを収容する新規の皿状容器、そのような皿状容器を含む新規の化粧用品、ならびにそのような皿状容器および化粧用品を製造するための新規の方法を提供することである。具体的には、本発明は、配合物ケーキが外れるのを効果的に阻止し得るかつ低コストで製造され得る新規の皿状容器および化粧用品、ならびに配合物ケーキが外れる可能性が著しく減少する新規の皿状容器および化粧用品を、低コストで製造するための方法を提供する。
【課題を解決するための手段】
【０００８】
前述の目的を達成するために、本発明は、配合物ケーキを収容する皿状容器を提供し、皿状容器は、基底部と、基底部から直立している環状壁と、環状壁により取り巻かれており基底部に対向している開口部とを含み、基底部と環状壁とは、配合物ケーキを収容するための所定の深さを有する空間を協働して形成しており、皿状容器は、配合物ケーキと噛み合うことにより配合物ケーキを留める少なくとも1つのラッチ特徴部をさらに含み、基底部とラッチ特徴部とが深さ方向に互いに重なる、基底部の特定の領域内に、基底部の特定の領域の寸法および形状に対応する寸法および形状を有する開口部が設けられている。
【０００９】
本明細書において用いられている用語「配合物」は、例えばファンデーション、アイシャドー、および頬紅などの化粧品用の配合物を含むが、それらに限定されない。本明細書において用いられている、皿状容器の基底部に設けられている、用語「開口部」は、例えば穴部、溝穴部、および幅広の開口部などの様々な形態の開口部を含むが、それらに限定されない。
【００１０】
本発明による皿状容器の好適な実施形態では、皿状容器は、ラッチ特徴部として、環状壁の内面から皿状容器の中心に向かって突出している少なくとも1つの突起部を含む。本実施形態では、突起部は環状壁の高さの略中間の位置に設けられていてもよい。あるいは、突起部は環状壁の上端位置に設けられていてもよい。特に好適な実施形態では、突起部は環状壁の高さの略中間の位置および環状壁の上端位置に設けられていてもよい。
【００１１】
本発明による皿状容器の好適な実施形態では、皿状容器は、基底部から開口部に向かって、基底部に対して実質的に垂直に延在している少なくとも1つの支柱と、基底部に略平行に支柱から延在している突起部とを含み、突起部はラッチ特徴部としての機能を果たす。本実施形態では、支柱は、環状壁の内面に隣接して設けられていてもよく、突起部は、環状壁の内面に沿って、実質的に周縁部の全周に設けられていてもよい。
【００１２】
本発明による皿状容器の好適な実施形態では、皿状容器は、ラッチ特徴部として、基底部から開口部に向かって延在している少なくとも1つの突出部を含み、突出部は、皿状容器の中心に向かってまたは皿状容器の中心の反対方向に向かって傾斜しているかまたは湾曲している。
【００１３】
本発明による皿状容器の好適な実施形態では、皿状容器は、ラッチ特徴部として、皿状容器の中心に向かって傾斜しているかまたは湾曲している、環状壁の周囲方向部分を含む。
【００１４】
また、本発明は、配合物ケーキを収容する皿状容器を提供し、皿状容器は、基底部と、基底部から直立している環状壁と、環状壁により取り巻かれており基底部に対向している開口部とを含み、基底部と環状壁とは、配合物ケーキを収容するための所定の深さを有する空間を協働して形成しており、皿状容器は、配合物ケーキと噛み合うことにより配合物ケーキを留めるラッチ特徴部をさらに含み、ラッチ特徴部は環状壁の内面から突出しており周縁部の全周にまたは内面に沿って断続的に設けられており、貫通孔が基底部に設けられている。
【００１５】
前述の目的を達成するために、また、本発明は、基底部とラッチ特徴部とが深さ方向に互いに重なる、基底部の特定の領域内に、基底部の特定の領域の寸法および形状に対応する寸法および形状を有する開口部が設けられている前述の皿状容器と、皿状容器内に収容されている配合物ケーキとを含む化粧用品を提供し、配合物ケーキは、皿状容器に設けられているラッチ特徴部と噛み合うことにより、皿状容器の内部に留められている。
【００１６】
前述の目的を達成するために、また、本発明は、基底部とラッチ特徴部とが深さ方向に互いに重なる、基底部の特定の領域内に、基底部の特定の領域の寸法および形状に対応する寸法および形状を有する開口部を設けられている、前述の皿状容器を製造するための方法を提供し、本方法は、上型および下型を提供するステップであり、組み合わせられると、上型と下型とは、皿状容器の原料が中に注入される空洞部を協働して形成し、下型は、下型の基底部の表面から直立している1つまたは複数の突出部を含み、突出部は、皿状容器の深さ方向から見た場合、皿状容器に設けられるラッチ特徴部の形状に対応する横断面形状を有するステップと、上型と下型とを組み合わせるステップと、上型と下型との間に形成されている空洞部内へ皿状容器の原料を注入するステップと、注入された原料が凝固して、得られた皿状容器を除去した後、上型と下型とを分離するステップとを含む。本明細書において用いられている用語「上型」および「下型」は、型同士を都合よく区別する用語であり、型の実際の位置を限定しない。上型および/または下型は各々一体であってもよく、または複数の小部分から形成されていてもよい。
【００１７】
前述の目的を達成するために、また、本発明は、前述の化粧用品を製造する方法を提供し、本方法は、皿状容器の開口部を塞ぐステップと、皿状容器の基底部に設けられている開口部を介して皿状容器の空間内へ配合物を充填するステップと、充填された配合物を凝固させて、配合物ケーキを形成するステップとを含む。本方法では、皿状容器の開口部を塞ぐステップは、皿状容器の基底部に設けられている開口部を介して皿状容器の空間内へ配合物を充填するステップの後に行われてもよい。本方法の好適な実施形態では、配合物は開口部内にも充填される。別の好適な実施形態では、配合物ケーキの内容物、特性等を見せるシールが、皿状容器の基底部の開口部から配合物ケーキが露出しないようにするために、最終的に、皿状容器の基底部の外面に接着されてもよい。しかし、また、配合物ケーキは皿状容器の基底部の開口部から露出されたままでもよい。
【００１８】
前述の目的を達成するために、また、本発明は前述の化粧用品を製造する方法を提供し、本方法は、皿状容器の基底部に設けられている開口部を塞ぐステップと、皿状容器の開口部を介して皿状容器の空間内へ配合物を充填するステップと、充填された配合物を凝固させて、配合物ケーキを形成するステップとを含む。本発明の好適な実施形態では、皿状容器の基底部は皿状容器の空間に対向している内面と、内面の反対側の外面とを有し、開口部は外面と同じ高さで塞がれる。それにより、配合物は開口部内にも充填される。この場合も同様に、前述のシールは、皿状容器の基底部の開口部から配合物ケーキが露出しないようにするために、最終的に、皿状容器の基底部の外面に接着されてもよい。あるいは、配合物ケーキは皿状容器の基底部の開口部から露出されたままでもよい。
【００１９】
先行技術では、配合物ケーキと噛み合うことにより配合物ケーキを留める突起部などのラッチ特徴部が皿状容器の内周面上に形成されている場合、可動コアを設けられている成型デバイスが必要である。可動コアは、皿状容器の原料が型の空洞部内へ充填される前に形成されるラッチ特徴部の真下に配置されている。可動コアは、充填された皿状容器の原料が凝固した後、皿状容器の中心へ移動させられる。可動コアを設けられている成型デバイスは、コアの動作を実現するために複雑な構造を有し、したがって極めて高価である。したがって、可動コアが設けられている成型デバイスを使用する、皿状容器の製造コストはかなり高い。そのような従来の皿状容器と対照的に、本発明は、皿状容器が基底部に開口部を有することを許容する。したがって、配合物ケーキと噛み合うラッチ特徴部を形成するために、皿状容器の原料を型の空洞部内へ充填するステップの前に、下型の底面から直立している突出部が空洞部内に配置されている独特な製造方法を利用することが可能である。本方法によれば、下型の底面から直立している突出部は、可動コアに類似して、最終的に形成されるラッチ特徴部の下方空間が皿状容器の原料で充填されることを防ぐ。しかしながら、可動コアと対照的に、下型の底面から直立している突出部の位置は固定されている。したがって、本発明によれば、可動コアを設けられている高価な成型デバイスは、ラッチ特徴部を含む皿状容器を製造するために必要ない。結果として、皿状容器の製造コストを低減することが可能であり、配合物ケーキの脱落が起きない低コストの皿状容器が実現され得る。さらに、本発明によれば、配合物ケーキおよび皿状容器等の形状に関する設計の自由度が向上する。
【００２０】
さらに、皿状容器の基底部の開口部は、配合物を皿状容器内へ充填する時、配合物を皿状容器内へ案内する通路として使用され得る。換言すれば、皿状容器の基底部の開口部は、ノズルと開口部との間の連通を可能にするために、配合物を皿状容器内へ充填するためのノズルを配設することにより、配合物を皿状容器内へ充填するために使用され得る。
【００２１】
本発明の非限定的で代表的な実施形態が、ここで、本発明がよりよく理解され得るように、添付図面を参照して以下に詳細に説明される。
【図面の簡単な説明】
【００２２】
【図１Ａ】本発明の第1の実施形態による皿状容器の斜視図である。
【図１Ｂ】図1Aの皿状容器の、線X-Xに沿った横断面図である。
【図１Ｃ】図1Aに示されている皿状容器の部分拡大図である。
【図２Ａ】図1Aから図1Cまでに示されている皿状容器を製造するステップを示す横断面図である。
【図２Ｂ】図1Aから図1Cまでに示されている皿状容器を製造するステップを示す横断面図である。
【図２Ｃ】図1Aから図1Cまでに示されている皿状容器を製造するステップを示す横断面図である。
【図３Ａ】図1Aから図1Cまでに示されている皿状容器を含む化粧用品を製造するステップを示す横断面図である。
【図３Ｂ】図1Aから図1Cまでに示されている皿状容器を含む化粧用品を製造するステップを示す横断面図である。
【図３Ｃ】図1Aから図1Cまでに示されている皿状容器を含む化粧用品を製造するステップを示す横断面図である。
【図４】皿状容器が型から除去されている状態にある、本発明の第2の実施形態による皿状容器を示す横断面図である。
【図５】皿状容器が型から除去されている状態にある、本発明の第3の実施形態による皿状容器を示す横断面図である。
【図６】皿状容器が型から除去されている状態にある、本発明の第4の実施形態による皿状容器を示す横断面図である。
【図７Ａ】皿状容器が型から除去されている状態にある、本発明の第5の実施形態による皿状容器を示す横断面図である。
【図７Ｂ】図7Aに示されている皿状容器の代替的実施形態を示す横断面図である。
【図８Ａ】本発明の第6の実施形態による皿状容器の斜視図である。
【図８Ｂ】図8Aの皿状容器の、線Y-Yに沿った横断面図である。
【図９Ａ】本発明の第7の実施形態による皿状容器の斜視図である。
【図９Ｂ】図9Aの皿状容器の、線Z1-Z1に沿った横断面図である。
【図９Ｃ】図9Aの皿状容器の、線Z2-Z2に沿った横断面図である。
【図１０Ａ】本発明の第8の実施形態による皿状容器の斜視横断面図である。
【図１０Ｂ】本発明の第8の実施形態による皿状容器の代替的実施形態を示す斜視横断面図である。
【発明を実施するための形態】
【００２３】
図1Aから図1Cまでは、本発明による、配合物ケーキを収容する皿状容器の第1の実施形態を示す。これらの図面では、「P」で示されている皿状容器は、例えば樹脂材料を型の空洞部内へ注入することにより、一体化物品として形成されている。皿状容器Pは、基底部10と、基底部10から直立している環状壁20と、環状壁20により取り巻かれており基底部10に対向している開口部30とを含む。基底部10と環状壁20とは、配合物ケーキF(これは、図3Aから図3Cまでを用いて後で説明される)を収容するための所定の深さD(図1B参照)を有する空間Vを協働して形成している。図1Aから図1Cまでに示されている皿状容器Pは円筒形であるが、皿状容器の形状は特に限定されていない。
【００２４】
皿状容器Pは、配合物ケーキFと噛み合うことにより配合物ケーキFを留めるラッチ特徴部をさらに含む。ラッチ特徴部は、皿状容器P内に収容されている配合物ケーキFが皿状容器から偶発的に外れないようにするように機能する。本実施形態では、皿状容器Pは、ラッチ特徴部として、環状壁20の内面20aから皿状容器Pの中心に向かって水平方向に(すなわち基底部10に平行に)突出している2つの突起部100を含む。また、突起部100は、射出成形により、基底部10および環状壁20と一緒に形成されている。本実施形態では、突起部100の一方が、環状壁20の高さの略中間の位置に設けられており、他方の突起部100が環状壁20の上端位置に設けられている。しかし、突起部の数、形状、位置等は本例に限定されない。
【００２５】
特に図1Cに詳細に認められる通り、開口部200が皿状容器Pの基底部10に設けられている。より詳細には、開口部200は、基底部10と突起部100とが皿状容器Pの深さD方向に互いに重なる、基底部10の領域S内に設けられている。図1Cでは、領域Sは陰影状の網かけで示されている。図1Cから分かる通り、開口部200は、皿状容器Pの深さD方向から見た場合、領域Sの寸法および形状に正確に対応する寸法および形状を有する。一実施形態では、開口部200は、皿状容器Pの深さD方向から見た場合、領域Sの寸法および形状より大きくかつそれらを収容し得る寸法および形状を有していてもよい。
【００２６】
次に、図2Aから図2Cまでを参照して、皿状容器Pを製造する方法の実施形態を説明する。製造方法の本実施形態では、最初に、上型300および下型400が設けられる。上型300と下型400とが既に互いに組み合わせられている状態を示す図2Aから分かる通り、上型300と下型400とは、組み合わせられると、皿状容器Pの原料Mが中へ注入される空洞部Cを協働して形成する。本実施形態において使用されている下型400は、底面400aから直立している2つの突出部410を含む。2つの突出部410は、皿状容器Pの深さD方向から見ると、皿状容器P内に設けられる突起部100の形状にそれぞれ対応する横断面形状を有する。例えば、図2Aにおいて左側に配置されている突出部410は、図1Cにおいて陰影状の網かけで示されている領域Sに正確に対応する横断面形状を有する。当業者に明らかであると考えられるように、下型400の底面400aからの突出部410の高さH1およびH2は、空洞部Cの内部に形成される皿状容器の基底部の外面から突起部100の底面までの距離にそれぞれ対応する。
【００２７】
本実施形態の製造方法では、図2Aに示されている通り、上型300と下型400とが互いに組み合わせられた後、皿状容器の原料Mが、上型300と下型400との間に形成されている空洞部C内へ注入される。図2Bは、空洞部Cの内部が原料Mで完全に満たされた状態を示す。空洞部C内へ充填された原料Mが凝固した後、上型300と下型400とは、図2Cに示されているように分離され、それにより得られる皿状容器Pは型から除去される。前段の説明から明らかであるように、本実施形態の製造方法によれば、可動コアを設けられている高価な成型システムを使用することなく、配合物ケーキを皿状容器Pの内周面上で留める突起部を形成することが可能である。
【００２８】
本発明の実施形態によれば、前述の通り製造される、皿状容器Pを含む化粧用品Aと、皿状容器P内に収容されている配合物ケーキFとが設けられる(図3C参照)。化粧用品A内で、配合物ケーキFは、皿状容器P内に設けられている突起部100と噛み合うことにより、皿状容器Pの内部に留められている。図3Aから図3Cまでは化粧用品Aを製造する方法を概略で示す。本製造方法では、最初に、図3Aに示されている通り、皿状容器Pは、上押さえ510と下押さえ520とにより形成されている空間の内部に収容されている。この状態では、上押さえ510の下面510aが皿状容器Pの環状壁20の上端面に密接に適合しており、結果として、皿状容器Pの開口部30は塞がれている。一方、皿状容器Pの開口部200は、下押さえ520に設けられている貫通孔520aと連通している。次に、図3Bに矢印で示されている通り、スラリ状態の配合物F'が、皿状容器Pの開口部200および下押さえ520の貫通孔520aを介して皿状容器Pの内部空間内へ充填される。本実施形態では、また、配合物F'は皿状容器Pの開口部200内へ充填される。その後、充填された配合物F'は乾燥され、凝固され、それにより配合物ケーキFが形成される。最後に、上押さえ510と下押さえ520とは分離されて、図3Cに示されているように配合物ケーキFが皿状容器Pの内部に収容されている化粧用品Aが生産される。必要であれば、配合物ケーキで満たされた開口部200は、配合物ケーキFの品質、特性等を見せるシールで隠され得る。
【００２９】
あるいは、図3Cに示されている化粧用品Aは、以下の方法により製造され得る。本代替的方法では、最初に、皿状容器Pの基底部10に設けられている開口部200は、貫通孔を有さない下押さえとの接触により塞がれている。基底部10は、皿状容器Pの内部空間に対向している内面と、内面の反対側の外面とを有する。本代替的方法では、開口部200は外面と同じ高さで塞がれている。しかし、下押さえの底面上に形成されている対応するボスが、開口部200内へ挿入されてもよい。開口部200が塞がれた後、スラリ状態の配合物が、皿状容器Pの開口部30を介して、皿状容器Pの内部空間内へ充填される。その後、充填された配合物は凝固され、それにより配合物ケーキFが形成される。
【００３０】
以下、本発明による皿状容器Pの様々な実施形態が、前述されている実施形態との差異に重点をおいて、図面を参照して説明される。図4、図5、図6および図7Aに示されている皿状容器Pの実施形態は、それらの製造に使用された型と共に示されていることに留意すべきである。換言すれば、図4、図5、図6および図7Aは、完成された皿状容器Pが型から除去されている段階を示す。また、以下に説明されている皿状容器は、前述されている製造方法を用いて製造されてもよい。
【００３１】
図4の概略横断面図に示されている第2の実施形態の皿状容器Pは、基底部10から開口部30に向かって、基底部10に対して実質的に垂直に延在している少なくとも1つの(本実施形態では2つの)支柱110と、基底部10に略平行に各支柱110から延在している突起部120とを含む。突起部120は、皿状容器Pの内部に収容されている配合物ケーキと噛み合うラッチ特徴部としての機能を果たす。上方から見られた場合の突起部120の形状は特に限定されておらず、例えば、三角形、四角形、矩形、多角形、円形、楕円形等であってもよい。原理的に、皿状容器Pは、図4に示されている外形を有する上型300および下型400を使用して構成される。具体的には、前述されている通り、下型400は、底面400aから直立している2つの突出部410を有する。突出部410は、皿状容器Pの深さ方向から見た場合、皿状容器P内に設けられる突起部120の形状に対応する横断面形状を有する。
【００３２】
図5の概略横断面図に示されている第3の実施形態の皿状容器Pは、また、基底部10から開口部30に向かって、基底部10に対して実質的に垂直に延在している支柱110と、基底部10に略平行に支柱110から延在している突起部120とを含む。また、皿状容器Pは、皿状容器Pの環状壁20の内周面20aから直接延在している突起部120を含む。これらの突起部120は、皿状容器Pの内部に収容されている配合物ケーキFと噛み合うラッチ特徴部としての機能を果たす。原理的に、皿状容器Pは、図5に示されている外形を有する上型300および下型400を使用して構成される。
【００３３】
図5に示されている実施形態に類似して、図6の概略横断面図に示されている第4の実施形態の皿状容器Pは、基底部10から開口部30に向かって、基底部10に対して実質的に垂直に延在している支柱110を有するラッチ特徴部と、基底部10に略平行に支柱110から延在している突起部120とを含む。本実施形態によれば、また、皿状容器Pは、ラッチ特徴部として、基底部10から開口部30に向かって延在している2つの突出部130を含む。図6では、左側の突出部130は皿状容器Pの中心の反対方向に向かって斜めに直線状に延在している。他方、図6では、右側の突出部130は皿状容器Pの中心の方向に向かって湾曲している。原理的に、皿状容器Pは、図6に示されている外形を有する上型300および下型400を使用して構成される。
【００３４】
図7Aの概略横断面図に示されている第5の実施形態の皿状容器Pは、ラッチ特徴部として、皿状容器Pの中心に向かって傾斜している、環状壁20の周囲方向部分140を含む。基底部10と環状壁20との間のいくつかの接続部を除いて、環状壁20の略全体は傾斜部分140から構成されていてもよい。原理的に、皿状容器Pは、図7Aに示されている外形を有する上型300および下型400を使用して構成される。あるいは、図7Bに示されている通り、皿状容器Pは、皿状容器Pの中心に向かって傾斜している、環状壁20の周囲方向部分140と、皿状容器Pの中心に向かって湾曲している、環状壁20の周囲方向部分140'とを含んでいてもよい。
【００３５】
図8Aおよび図8Bに示されている第6の実施形態の皿状容器Pは、皿状容器Pの内部に収容されている配合物ケーキを留めるラッチ特徴部として、環状壁20の内周面から皿状容器の中心に向かって突出している4つの突起部120aから120dまでを含む。具体的には、これらの突起部120aから120dまでは、皿状容器の開口部の高さに存在している。図8Bから分かる通り、4つの開口部200aから200dまでが、基底部10と突起部120aから120dまでとが皿状容器の深さ方向に重なる、基底部10の特定の領域に設けられており、開口部200aから200dまでは、これらの特定の領域の寸法および形状に対応する寸法および形状を有する。本実施形態では、基底部10は、4つの継ぎ手150aから150dまでにより、環状壁20に接続されている。当業者に明らかであると考えられるように、継ぎ手150aから150dまでの位置、寸法、および形状は、突起部120aから120dまでの中の2つの隣接した突起部間に存在する間隙160aから160dまでの位置、寸法、および形状に正確に対応する。
【００３６】
図9Aから図9Cまでに示されている第7の実施形態の皿状容器Pは、図8Aおよび図8Bを用いて前段で説明されている実施形態に類似している。しかし、この皿状容器Pは、3つの支柱110aから110cまでが環状壁20の内面20a上に一体的に設けられていること、および配合物ケーキを留める3つの突起部120aから120cまでが環状壁20の内面20aに沿って略周縁部の全周にさらに設けられていることを特徴とする。より詳細には、本実施形態は、2つの隣接した支柱が、120°より若干小さい弓形突起部120aから120cまでにより接続されている構造体を有する。図9Cから特に分かる通り、本実施形態でも同様に、3つの開口部200aから200cまでが、基底部10と突起部120aから120cまでとが皿状容器の深さ方向に重なる、基底部10の特定の領域に設けられており、開口部200aから200cまでは、これらの特定の領域の寸法および形状に対応する寸法および形状を有する。本実施形態では、基底部10は、3つの支柱110aから110cまでの下端部により、環状壁20に接続されている。
【００３７】
図10Aおよび図10Bは、本発明の第8の実施形態およびその代替的実施形態を示す。図10Aの実施形態によれば、配合物ケーキを収容する皿状容器Pは、基底部10と、基底部10から直立している環状壁20と、環状壁20により取り巻かれており基底部10に対向している開口部30とを含む。基底部10と環状壁20とは、配合物ケーキを収容するための所定の深さを有する空間を協働して形成する。また、皿状容器は、配合物ケーキと噛み合うことにより配合物ケーキを留めるラッチ特徴部120'を含む。ラッチ特徴部120'は、環状壁20の内面20aから突出しており、内面20aに沿って周縁部の全周に設けられている。さらに、基底部10は、ラッチ特徴部120'と重ならない位置に、貫通孔200'を設けられている。貫通孔200'は、配合物を皿状容器内へ充填する時に使用され得る。他方、図10Bに示されている代替的実施形態によれば、ラッチ特徴部120"が環状壁20の内面20aから突出しており、内面20aに沿って断続的に設けられている。本実施形態でも同様に、配合物を皿状容器内へ充填する時に使用され得る貫通孔200"が、基底部10の、ラッチ特徴部120"と重ならない位置に形成されている。
【００３８】
本発明の様々な実施形態が、図面を参照して前段で説明されてきた。しかし、本発明はこれらの実施形態に限定されず、様々な修正および変更が、本発明の主旨および範囲から逸脱することなく、前述の実施形態に施されてもよく、そのような修正および変更は本発明の範囲内に含まれる。
【符号の説明】
【００３９】
10  基底部
20  環状壁
20a  内面、内周面
30，200，200a，200b，200c，200d  開口部
100，120，120a，120b，120c，120d  突起部
120'，120"  ラッチ特徴部
110，110a，110b，110c  支柱
130，410  突出部
140，140'  周囲方向部分、傾斜部分
150a，150b，150c，150d  継ぎ手
160a，160b，160c，160d  間隙
200'，200"，520a  貫通孔
300  上型
400  下型
400a  底面
510  上押さえ
510a  下面
520  下押さえ
A  化粧商品
C  空洞部
D  深さ
F  配合物ケーキ
F'  配合物
H1，H2  高さ
M  原料
P  皿状容器
S  領域
V  空間
X-X，Y-Y，Z1-Z1，Z2-Z2  線
【図１Ａ】
2018089207.tif 000003
【図１Ｂ】
2018089207.tif 000004
【図１Ｃ】
2018089207.tif 000005
【図２Ａ】
2018089207.tif 000006
【図２Ｂ】
2018089207.tif 000007
【図２Ｃ】
2018089207.tif 000008
【図３Ａ】
2018089207.tif 000009
【図３Ｂ】
2018089207.tif 000010
【図３Ｃ】
2018089207.tif 000011
【図４】
2018089207.tif 000012
【図５】
2018089207.tif 000013
【図６】
2018089207.tif 000014
【図７Ａ】
2018089207.tif 000015
【図７Ｂ】
2018089207.tif 000016
【図８Ａ】
2018089207.tif 000017
【図８Ｂ】
2018089207.tif 000018
【図９Ａ】
2018089207.tif 000019
【図９Ｂ】
2018089207.tif 000020
【図９Ｃ】
2018089207.tif 000021
【図１０Ａ】
2018089207.tif 000022
【図１０Ｂ】
2018089207.tif 000023
【外国語明細書】
2018089207000001.pdf